(57)【特許請求の範囲】
【請求項１】
便器側便座の後部上面と、該後部上面に取付けられて使用者の局部を洗浄する衛生洗浄装置との間に形成される隙間空間を塞ぐための衛生カバーであって、
前記隙間空間に着脱自在に挿入されて隙間空間を塞ぐ挿入部と、該挿入部に連なり前記衛生洗浄装置の洗浄用ノズルの下方より便器側まで垂下する前方カバー片を有するカバー部とを具備して成ることを特徴とする衛生洗浄装置の衛生カバー。
【請求項２】
前記挿入部を前記隙間空間に挿入した状態に拘束し得るロック機構を有することを特徴とする請求項１記載の衛生洗浄装置の衛生カバー。
【発明の詳細な説明】
【０００１】
【産業上の利用分野】
本発明は、便器側便座の後部上面と、該後部上面に取付けられて使用者の局部を洗浄する衛生洗浄装置との間に形成される隙間空間を塞ぐように別途装着され、該隙間空間への汚水侵入を防止する衛生カバーに関する。
【０００２】
【従来の技術】
従来、衛生洗浄装置は多数提案されており、例えば、実公平３−３８２９７号公報に示すようなものがある。これは、洗浄器機等を内蔵したケーシングを便器側便座の取付け面に載置し、かつ固定ボルトで同ケーシングを便器本体に固定するよう構成されている。このように従来の衛生洗浄装置は、その本体がボルトやナットにより便器側便座の後部上面にぴったりと沿うように固定されていた。
【０００３】
【発明が解決しようとする課題】
しかしながら、前述したような従来の技術では、衛生洗浄装置の本体が便器側便座にボルトでしっかりと固定されており、容易には外せないから、装置本体の下側となる便器側便座の取付け面を気軽に清掃することが困難であった。
【０００４】
特に、装置本体と便器側便座の間には、例えば子供等が誤って小水をひっかけてしまうような場合も多々あり、かかる場合には装置本体と便器側便座との間の僅かな隙間に汚水が入り込んでしまうため、前述した如く清掃しにくい関係上、衛生的にも問題であった。
【０００５】
更に、苦労してボルトを緩めて装置本体を便器側便座から外したとしても、便器側便座の取付け面を清掃する際、トイレという狭い空間内では装置本体の置き場所に困る事態が考えられる。なお、便器側便座の取付け面を清掃するには、装置本体と便器側便座との間に一時的にでも手や雑巾を入れられるスペースがあれば足りるものである。
【０００６】
本発明は、以上のような従来技術が有する問題点に着目してなされたもので、便器側便座と衛生洗浄装置との間に汚水が侵入することを防止し、また便器側と装置側との間の清掃スペースを確保することができ、容易に便器側便座の取付け面等を清掃することが可能であり、衛生性を向上させることができる衛生洗浄装置の衛生カバーを提供することを目的としている。
【０００７】
【課題を解決するための手段】
前述した目的を達成するための本発明の要旨とするところは、以下の各項に存する。
【０００８】
［１］  便器側便座（２）の後部上面（３）と、該後部上面（３）に取付けられて使用者の局部を洗浄する衛生洗浄装置（１０）との間に形成される隙間空間を塞ぐための衛生カバー（３０）であって、
前記隙間空間に着脱自在に挿入されて隙間空間を塞ぐ挿入部（３１）と、該挿入部（３１）に連なり前記衛生洗浄装置（１０）の洗浄用ノズル（２６）の下方より便器側まで垂下する前方カバー片（３３）を有するカバー部（３２）とを具備して成ることを特徴とする衛生洗浄装置の衛生カバー（３０）。
【０００９】
［２］  前記挿入部（３１）を前記隙間空間に挿入した状態に拘束し得るロック機構（４０）を有することを特徴とする１項記載の衛生洗浄装置（１０）の衛生カバー（３０）。
【００１０】
【作用】
衛生洗浄装置（１０）は便器側便座（２）の後部上面（３）に取付けられるが、装置側と便器側との間は隙間空間が形成されるようになっている。この隙間空間は、通常、本発明に係る衛生カバー（３０）によって塞がれる。すなわち、衛生カバー（３０）の挿入部（３１）が前記隙間空間に挿入されている。
【００１１】
挿入部（３１）には、衛生洗浄装置（１０）の洗浄用ノズル（２６）の下方より便器側まで垂下する前方カバー片（３３）を有するカバー部（３２）が連なっているため、かかるカバー部（３２）により、前記隙間空間の開口部分を含む比較的広い範囲が覆われる。
【００１２】
それにより、装置側と便器側との間付近に、例えば子供等が誤って小水をひっかけてしまっても衛生カバー（３０）によって遮られ、隙間空間に汚水が入り込むことがなく、衛生的に保つことができる。
【００１３】
衛生カバー（３０）の挿入部（３１）は、隙間空間に着脱自在に挿入できるように設定されているため、衛生カバー（３０）全体を容易に衛生洗浄装置（１０）と便器（１）との間から取り外すことができる。衛生カバー（３０）を取り外せば隙間空間は開口するため、かかる隙間空間を清掃スペースとして雑巾等を挿入することができ、容易に便器側便座（２）の後部上面（３）等を清掃することが可能となる。
【００１４】
また、取り外された衛生カバー（３０）そのものを丸洗いすることも可能であり、清掃性や衛生性がより一層向上する。更に、衛生カバー（３０）を取り外すだけで、重量物である衛生洗浄装置（１０）を何ら動かすことなく、清掃スペースとしての隙間空間を確保することができるため、清掃が楽であり、また従来の如く便器側から外したケーシング本体（２０）の置き場所に困るようなこともない。
【００１５】
更にまた、衛生カバー（３０）の挿入部（３１）を隙間空間に挿入した状態に拘束し得るロック機構（４０）を有する場合には、隙間空間を衛生カバー（３０）によって塞いだ状態に確実に保持することができる。
【００１６】
【実施例】
以下、図面に基づき本発明の一実施例を説明する。
図１〜図３は本発明の一実施例を示している。
図１に示すように、本実施例に係る衛生洗浄装置１０の衛生カバー３０は、便器側便座２の後部上面３と、この後部上面３に取付けられて使用者の局部を洗浄する衛生洗浄装置１０との間に形成される隙間空間を塞ぐための部材である。ここで便器１は一般的な洋式タイプのものであり、その便器側便座２の後部上面３に衛生洗浄装置１０のケーシング本体２０が取付けられるようになっている。
【００１７】
ケーシング本体２０の底部２１には凹部２１ａが形成されており、かかる凹部２１ａ内が、便器側便座２とケーシング本体２０との間の隙間空間を成している。また、ケーシング本体２０の正面側略中央には、洗浄用ノズル２６が出没可能に支持され、このノズル２６の基端側には、ノズル位置調整機構や給水機構等の洗浄関連器機類が内装されている。
【００１８】
また、ケーシング本体２０の一側部２２には、主として給水加熱装置を構成する貯湯タンク、加熱器、温度制御手段等の関連器機類が内装され、他側部２３には、必要に応じて乾燥器、脱臭器、或は暖房器等の関連器機類が内装されている。更に、ケーシング本体２０には、便座２４と便蓋２５が開閉可能に枢着されている。
【００１９】
衛生カバー３０は、前記隙間空間に着脱自在に挿入される挿入部３１と、この挿入部３１の前端縁側に連なり、衛生洗浄装置１０のケーシング本体２０の前面下側を覆うと共に便器１側にも垂下し、前記隙間空間への汚水侵入を防止するカバー部３２とを具備して成る。また、衛生カバー３０には、後述するが前記挿入部３１を隙間空間に挿入した状態に拘束し得るロック機構４０の一部が設けられている。
【００２０】
更に詳しく言えば、衛生カバー３０の挿入部３１は、ケーシング本体２０の凹部２１ａの幅に丁度合致する大きさに形成された板状部材から成り、その両側縁と後端縁には凹部２１ａの高さに対応するフランジ３１ａが設けられ、底浅の箱状に形成されている。なお、挿入部３１は単に凹部２１ａ内の隙間空間に合致し挿入し得る形状のものであればよく、単なる厚板状に形成したものであっても構わない。
【００２１】
衛生カバー３０のカバー部３１は、前記挿入部３１の前端縁に連なるように一体成形されており、略中央の前方カバー片３３と、その両側の側方カバー３４，３４とから成る。前方カバー片３３は、ケーシング本体２０の正面側中央より出没する洗浄用ノズル２６に干渉しないように、挿入部３１の前端縁から便器１側に垂下するように形成されている。
【００２２】
前方カバー片３３は、装置１０側と便器１側との間付近に誤ってひっかけられた小水等が隙間空間内に入るのを防ぐものであり、かつ、衛生カバー３０全体が前記凹部２１ａ内の隙間空間に入り込んでしまうことを未然に防止するものでもある。なお、前方カバー片３３は挿入部３１に必ずしも一体成形する必要はなく、別パーツのリブ等により形成してもよい。
【００２３】
一方、側方カバー３４は、装置１０のケーシング本体２０の前面下側を覆うように、挿入部３１の前端縁から上方に延びるように形成されている。かかる側方カバー３４も、前記前方カバー片３３と同様に主として前記隙間空間への汚水侵入を防止するためのものである。
【００２４】
図３に示すように、挿入部３１の後端縁とケーシング本体２０の他側部２３との底面側には、ロック機構４０が設けられている。このロック機構４０は、前記挿入部３１を前記隙間空間に挿入した状態に拘束し得るものであり、また着脱性を良くするための機構でもある。詳しく言えばロック機構４０は、挿入部３１側に設けられ、ケーシング本体２０の他側部２３内（一側部２２側は図示せず）にある角２３ａに係合する係合爪４１と、他側部２３側に押し込み操作可能に設けられ、前記係合爪４１と角２３ａとの係合状態を解除し得る爪部４３を備えた操作ボタン４２とを有して成る。
【００２５】
係合爪４１は、図１中では他の部位に隠れて見えないが、挿入部３１の後端縁の底面両側にそれぞれ設けられている。また、挿入部３１の後端縁両側には、衛生カバー３０全体を収納空間から離脱する方向に付勢するばね部材４６がそれぞれ取付けられている。このばね部材４６により、前述した係合爪４１と角２３ａとの係合状態が解除された際、衛生カバー３０は前方に飛び出し容易に外せるように設定されている。
【００２６】
操作ボタン４２の爪部４３は、かかる操作ボタン４２が通常位置にあるときは係合爪４１に接触せず、操作ボタン４２を押したときに係合爪４１を押し込んで、角２３ａから離脱させるように設定されている。また、操作ボタン４２は、そのガイド棒４４に巻き付けられたばね部材４５によって、通常位置の方向に付勢されている。なお、ロック機構は前述した具体的構成に限定されるものではなく、他の様々な方式を採用してもよいものである。
【００２７】
次に作用を説明する。
図１に示すように、衛生洗浄装置１０のケーシング本体２０は便器側便座２の後部上面３に取付けられるが、ケーシング本体２０の底部２１には凹部２１ａが形成されているため、装置１０側と便器１側との間は隙間空間が形成される。この隙間空間は、図２に示すように通常は衛生カバー３０によって塞がれる。すなわち、衛生カバー３０の挿入部３１が前記隙間空間内に挿入されている。
【００２８】
挿入部３１の前端縁側の略中央には、前方カバー片３３が洗浄用ノズル２６に干渉しないよう便器１側に垂下する形に連なり、かつ挿入部３１の前端縁の両側には、側方カバー３４，３４がケーシング本体２０の前面下側を覆うよう上方に延びる形に連なっているから、これらカバー部３２によって図２に示す如く隙間空間の開口部分が比較的広い範囲で覆われる。
【００２９】
それにより、装置１０側と便器１側との間付近に、例えば子供等が誤って小水をひっかけてしまっても、カバー部３２の前方カバー片３３や側方カバー３４，３４によって遮られ、隙間空間に汚水が入り込むことがなく、衛生的に保つことができる。このように衛生カバー３０の挿入部３１が隙間空間に挿入されている際、かかる状態にロック機構４０により拘束される。
【００３０】
すなわち、図３に示すように、通常は衛生カバー３０の挿入部３１側に設けられた係合爪４１が、ケーシング本体２０の他側部２３内にある角２３ａに係合しているため、隙間空間から挿入部３１が不用意に外れることはなく、隙間空間を衛生カバー３０によって塞いだ状態に確実に保持することができる。
【００３１】
一方、ロック機構４０によるロック状態を解除すれば、衛生カバー３０全体を容易に衛生洗浄装置１０と便器１との間の隙間空間から取り外すことができる。ロック状態を解除するには、図３において、ケーシング本体２０の両脇（片側のみ図示）にある操作ボタン４２を内側に押込めばよい。
【００３２】
すると、操作ボタン４２の爪部４３が係合爪４１に係合して弾性変形させるため、係合爪４１が角２３ａから離脱する。このとき、衛生カバー３０全体はばね部材４６の付勢力により前方に飛び出し、容易に外すことができる。このように衛生カバー３０を取り外せば隙間空間は開口するため、かかる隙間空間を清掃スペースとして雑巾等を挿入することができ、容易に便器側便座２の後部上面３等を清掃することが可能となる。
【００３３】
また、取り外された衛生カバー３０そのものを丸洗いすることも可能であり、清掃性や衛生性がより一層向上する。更に、衛生カバー３０を取り外すだけで、重量物である衛生洗浄装置１０を何ら動かすことなく、清掃スペースとしての隙間空間を確保することができるため、清掃が楽であり、また従来の如く便器側から外したケーシング本体２０の置き場所に困るようなこともない。
【００３４】
なお、本発明に係る衛生洗浄装置の衛生カバーの具体的構成は、図示した一実施例に限定されるものではない。
【００３５】
【発明の効果】
本発明に係る衛生洗浄装置の衛生カバーは、便器側と衛生洗浄装置との間の隙間空間内に着脱自在な挿入部にカバー部が連なって成るから、カバー部により子供等が誤ってひっかけた小水等を遮り、隙間空間に汚水が入り込むのを防止して衛生的に保つことができる。また、挿入部は隙間空間に着脱自在であるから、衛生カバー全体を容易に衛生洗浄装置と便器との間から取り外すことができ、開口した隙間空間を清掃スペースとして雑巾等を挿入し、容易に便器側便座の後部上面等を清掃することが可能となる。
【００３６】
また、取り外された衛生カバーそのものを丸洗いすることもでき、清掃性や衛生性がより一層向上する。更に、衛生カバーを取り外すだけで、重量物である衛生洗浄装置を何ら動かすことなく容易に清掃でき、便器側から外したケーシング本体の置き場所に困ることもない。
【図面の簡単な説明】
【図１】本発明の一実施例に係る衛生洗浄装置の衛生カバーを装着するときの状態を示す斜視図である。
【図２】本発明の一実施例に係る衛生洗浄装置の衛生カバーを装着した後の状態を示す斜視図である。
【図３】本発明の一実施例に係る衛生洗浄装置の衛生カバーのロック機構を示す断面図である。
【符号の説明】
１…便器
２…便器側便座
３…後部上面
１０…衛生洗浄装置
２０…ケーシング本体
３０…衛生カバー
３１…挿入部
３２…カバー部
４０…ロック機構
【図１】
0003554080.tif 000002
【図２】
0003554080.tif 000003
【図３】
0003554080.tif 000004